(57)【要約】【課題】  操作者の声、咳などが大きく収録されることのない４チャンネルのマイクロホンを提供する。【解決手段】  前方左チャンネルＦＬ、前方右チャンネルＦＲ、後方左チャンネルＲＬ、後方右チャンネルＲＲの４チャンネルに対応した指向性マイクロホンユニット１１〜１４と、前記後方左チャンネルおよび後方右チャンネルの指向性マイクロホンユニット１３、１４の同相成分の音信号をキャンセルするキャンセル回路３０を設ける。前記指向性マイクロホンユニット１３、１４の中間に位置する操作者が発する声や咳は、ほぼ同一レベル、同一位相で当該マイクロホンユニット１３、１４に収音されるので、それら同相成分がキャンセル回路３０によってキャンセルされた後方左、右チャンネルの音信号ＲＬ１、ＲＲ１が得られる。【選択図】 図１
2005328314.tif 000002
【特許請求の範囲】
【請求項１】
前方左チャンネル、前方右チャンネル、後方左チャンネル、後方右チャンネルの４チャンネルに対応したマイクロホンユニットと、
前記後方左チャンネルおよび後方右チャンネルのマイクロホンユニットの同相成分の音信号をキャンセルするキャンセル手段と
を備えたことを特徴とするマイクロホン。
【請求項２】
前記キャンセル手段は、
前記後方左チャンネルおよび後方右チャンネルのマイクロホンユニットの同相信号を検出する同相信号検出回路と、
前記後方左チャンネルおよび後方右チャンネルのマイクロホンユニットの各出力信号から、前記同相信号検出回路で検出された同相信号を各々差し引く減算回路と
を有していることを特徴とする請求項１に記載のマイクロホン。
【発明の詳細な説明】
【技術分野】
【０００１】
本発明は、例えばビデオカメラ用ワンポイント４チャンネルマイクロホンにおいて、撮影者の声や咳などの雑音を減少させることができるマイクロホンに関する。
【背景技術】
【０００２】
従来、前方左チャンネル、前方右チャンネル、後方左チャンネル、後方右チャンネルの４チャンネルに対応した音信号を収録する４チャンネルマイクロホンは、例えば図３のように構成されていた。図３は映像、音声の収録が行えるビデオカムコーダーに設けられた、いわゆるビデオカメラ用のワンポイント４チャンネルマイクロホンを示しており、ビデオカムコーダーの本体１０には、４つの指向性マイクロホンユニット１１〜１４を備えた４チャンネルマイクロホン２０が取り付けられている。
【０００３】
指向性マイクロホンユニット１１は、カメラの前方正面を０度としたとき、前方左４５度付近に向けて配置され、前方左チャンネルの音源（ＦＬ）を収録する。
【０００４】
指向性マイクロホンユニット１２は、カメラの前方右４５度に向けて配置され、前方右チャンネルの音源（ＦＲ）を収録する。
【０００５】
指向性マイクロホンユニット１３は、カメラの前方から左に１３５度付近に向けて配置され、後方左チャンネルの音源（ＲＬ）を収録する。
【０００６】
指向性マイクロホンユニット１４は、カメラの前方から右に１３５度付近に向けて配置され、後方右チャンネルの音源（ＲＲ）を収録する。
【０００７】
前記指向性マイクロホンユニット１１〜１４で収録された音声は、４チャンネル音信号ＦＬ，ＦＲ，ＲＬ，ＲＲとして出力される。
【０００８】
尚、４チャンネルに対応した音信号を収録する４チャンネルマイクロホンにおいては、例えば下記特許文献１に記載されているように、録音対象の音源を明確にした４チャンネルのサラウンド音声信号を得ることが提案されている。
【特許文献１】特開平５−１９１８８７号公報
【発明の開示】
【発明が解決しようとする課題】
【０００９】
図３に示すビデオカムコーダーにおいては、撮影者は後方左、右チャンネル（ＲＬ、ＲＲ）用の指向性マイクロホンユニット１３、１４側に存在し、通常、ファインダー１５を覗くようにして撮影を行う。
【００１０】
このため撮影者が発する声、咳などの音声は、前記マイクロホンユニット１３、１４を通して大きな雑音として収録されてしまうという問題があった。
【００１１】
本発明は上記の点に鑑みてなされたものでその目的は、操作者（撮影者）の声、咳などが大きく収録されることのないマイクロホンを提供することにある。
【課題を解決するための手段】
【００１２】
上記課題を解決するための本発明のマイクロホンは、前方左チャンネル、前方右チャンネル、後方左チャンネル、後方右チャンネルの４チャンネルに対応したマイクロホンユニットと、前記後方左チャンネルおよび後方右チャンネルのマイクロホンユニットの同相成分の音信号をキャンセルするキャンセル手段とを備えたことを特徴としている。
【００１３】
また、前記キャンセル手段は、前記後方左チャンネルおよび後方右チャンネルのマイクロホンユニットの同相信号を検出する同相信号検出回路と、前記後方左チャンネルおよび後方右チャンネルのマイクロホンユニットの各出力信号から、前記同相信号検出回路で検出された同相信号を各々差し引く減算回路とを有していることを特徴としている。
【００１４】
上記構成において、前記後方左チャンネルおよび後方右チャンネルのマイクロホンユニット側に存在する操作者が収音、撮影を行う場合、すなわち例えばビデオカメラに装着したワンポイント４チャンネルマイクロホンにおいて撮影、収録を行う場合、撮影者は後方左チャンネルおよび後方右チャンネルのマイクロホンユニットのほぼ中間に位置するため、当該撮影者が発する声、咳などの雑音は、後方左チャンネルおよび後方右チャンネルのマイクロホンユニットにほぼ同一レベル、同一位相で収録され、これら同相成分の音信号はキャンセル手段によってキャンセルされる。
【００１５】
これによって４チャンネルに対応したマイクロホンユニットを有したマイクロホンにおいて、撮影者の声、咳などの雑音を減少させて収音することができる。
【発明の効果】
【００１６】
本発明によれば、４チャンネルに対応したマイクロホンユニットを有したマイクロホンにおいて、後方左チャンネルおよび後方右チャンネルのマイクロホンユニットのほぼ中間に位置する操作者が発する声、咳などの雑音を減少させて収音することができる。
【発明を実施するための最良の形態】
【００１７】
以下、図面を参照しながら本発明の実施の形態について説明する。図１は、本発明を図３に示す映像、音声の収録が行えるビデオカムコーダーに適用した実施形態例の電気的構成および指向性マイクロホンユニットの平面配置を表しており、図１において図３と同一部分は同一符号をもって示している。
【００１８】
図１において、前方左チャンネルの指向性マイクロホンユニット１１で収録された音声は、前方左チャンネルの音信号ＦＬとして出力端子２１Oから出力される。前方右チャンネルの指向性マイクロホンユニット１２で収録された音声は、前方右チャンネルの音信号ＦＲとして出力端子２２Oから出力される。
後方左チャンネルおよび後方右チャンネルの指向性マイクロホンユニット１３、１４で収録された音声は、キャンセル回路３０によって、同相成分の音がキャンセルされて後方左チャンネル、後方右チャンネルの音信号ＲＬ１、ＲＲ１として出力端子２３O、２４Oから各々出力される。
【００１９】
キャンセル回路３０は、例えば図２に示すように、後方左チャンネル（Ｒ、Ｌ）および後方右チャンネル（ＲＲ）の指向性マイクロホンユニット１３、１４の出力から、同相成分の信号、すなわち当該マイクロホンユニット１３、１４のほぼ中間に位置する撮影者が発する声、咳などの信号を抽出する同相信号検出回路３１と、前記各指向性マイクロホンユニット１３、１４の出力信号から、前記抽出された同相成分の信号を各々差し引く差動アンプ３２L、３２R（減算回路）とで構成されている。
【００２０】
上記のように構成されたマイクロホンにおいて、後方左チャンネルおよび後方右チャンネルの指向性マイクロホンユニット１３、１４の中間に存在する撮影者が発する声、咳などは、ほぼ同一レベル、同一位相で当該マイクロホンユニット１３、１４に入力される。
【００２１】
このように前記マイクロホンユニット１３、１４に入力された、撮影者の声、咳は、音源が同一であるため、これらは同相成分である。このため、後方左チャンネルおよび後方右チャンネルの指向性マイクロホンユニット１３、１４により収音された音信号（ＲＬ、ＲＲ）から、前記同相成分である撮影者の声、咳などの音声が、キャンセル回路３０によってキャンセルされる。
【００２２】
これによって、出力端子２１O〜２４Oに４チャンネル音響機器を接続して再生した場合、撮影者が発する声や咳などの雑音を著しく減少させた４チャンネル再生音が得られる。
【００２３】
尚、本発明のキャンセル手段（キャンセル回路３０）は、前記同相信号検出回路３１および差動アンプ３２L、３２Rに限らず、同様の動作を行う他の回路で構成しても良い。
【図面の簡単な説明】
【００２４】
【図１】本発明の一実施形態例の４チャンネルマイクロホン２０の構成図。
【図２】本発明の要部の一実施形態例を示す回路図。
【図３】本発明が適用されるビデオカムコーダーの一例を示す斜視図。
【符号の説明】
【００２５】
１０…ビデオカムコーダーの本体、１１〜１４…指向性マイクロホンユニット、１５…ファインダー、２０…４チャンネルマイクロホン、２１O〜２４O…出力端子、３０…キャンセル回路、３１…同相信号検出回路、３２L，３２R…差動アンプ。
【図１】
2005328314.tif 000003
【図２】
2005328314.tif 000004
【図３】
2005328314.tif 000005